(57)【要約】      （修正有）【課題】潜像の存在が悟られにくい複写防止を有する印刷物を提供する。【解決手段】基紙表面１に第一の潜像印刷部２及び第二の潜像印刷部３と、基紙表面１の全面に複写機による再現性が無いか低減された無／低減再現性非潜像印刷部４を形成する。第一の潜像印刷部２及び第二の潜像印刷部３の第一の輪郭７、第二の輪郭８にはその輪郭の途中に、該輪郭方向に沿って凹部１０、凸部１１を形成する。凹部１０の底部の深さと凸部１１の頂部の高さの合計長さＬは、文字のフォント（字形）の一辺の長さＡの１２％以下に形成される。無／低減再現性非潜像印刷部４と第一の輪郭７、第二の輪郭８との境界において濃度差を小さくして第一の潜像印刷部２及び第二の潜像印刷部３の視認性を低減することができる。【選択図】図１
0003166053.tif 000002
【実用新案登録請求の範囲】
【請求項１】
基紙表面に潜像印刷部と、この潜像印刷部の少なくとも周囲に複写機による再現性が無いか低減された非潜像印刷部を形成し、前記潜像印刷部の輪郭にはその輪郭の途中に、該輪郭方向に沿って凹凸を形成することを特徴とする複写防止模様を有する印刷物。
【請求項２】
基紙表面に万線又は網点よりなる文字、数字又は図形を表示した潜像印刷部と、この潜像印刷部の少なくとも周囲に平網によりなり複写機による再現性が無いか低減された非潜像印刷部を形成し、前記文字、数字又は図形の縦向き、横向き又は斜め向きの前記潜像印刷部の輪郭の一辺部はその輪郭の途中に、該輪郭方向に沿って凹凸を形成することを特徴とする複写防止模様を有する印刷物。
【請求項３】
基紙表面に万線又は網点よりなる文字、数字又は図形を表示した潜像印刷部と、この潜像印刷部の少なくとも周囲に平網によりなり複写機による再現性が無いか低減された非潜像印刷部を形成し、前記文字、数字又は図形の縦向き、横向き又は斜め向きの前記潜像印刷部の輪郭の一辺部はその輪郭方向に沿って凹凸を連続した波型に形成されることを特徴とする複写防止模様を有する印刷物。
【請求項４】
前記凹凸は前記輪郭の内側に突設する凹部と、この凹部に隣接し前記輪郭の外側に突設する凸部を有することを特徴とする請求項１〜３のいずれか１項に記載の複写防止模様を有する印刷物。
【請求項５】
前記凹部の底部の深さと前記凸部の頂部の高さの合計長さは、前記文字、数字又は図形の長辺の長さの１２％以下に形成されることを特徴とする請求項４記載の複写防止模様を有する印刷物。
【請求項６】
前記凹部と前記凸部の間の距離は、前記文字、数字又は図形の長辺の長さの０．１５〜７．５％であることを特徴とする請求項４又は５記載の複写防止模様を有する印刷物。
【考案の詳細な説明】
【技術分野】
【０００１】
本考案は、複写防止模様を有する印刷物に関するものである。
【背景技術】
【０００２】
複写機でコピーを取ると、複写防止を促す「複写」「ＣＯＰＹ」などの複写防止文字或いは「禁止」など警戒文字等と称する文字や図柄などの複写防止模様は、複写機の出力解像度でも再現が容易な線幅を有する万線、径を有する網点の繰り返しパターンを潜像の印刷パターンに用い、潜像以外の部分には、複写機による濃度再現が困難な例えば薄い濃度の平網を用い、これら両者の特性の差を利用して潜像を浮かび上がらせて、複写物と判別している（例えば、特許文献１）。
【先行技術文献】
【特許文献】
【０００３】
【特許文献１】実用新案登録第３１１３３０９号公報
【考案の概要】
【考案が解決しようとする課題】
【０００４】
従来技術においては、例えば模式的にあらわした図９に示すように基紙21の表面に「複写」をあらわした潜像印刷部22と、この潜像印刷部22の少なくとも周囲に複写機による再現性が無いか低減された平網からなる非潜像印刷部23を形成し、前記潜像印刷部22の輪郭24は、非潜像印刷部23の縁によって形成されている。そして潜像印刷部22のうち、輪郭24を形成する上下縦向き、左右横向き或いは斜め向きのように同じ向きとなる一辺部24Ａ、例えば「複」の第一角は縦向きの「｜」形状であって、その図上左側縁は上下縦向きの一辺部24Ａが形成されている。この輪郭24の内側に網点からなる潜像印刷部22が配置されている。図中の24Ｂは「複」の第一角「｜」の上端縁の左右横向きの２番目の一辺部、24Ｃは第一角「｜」の図上右側縁は上下縦向きの３番目の一辺部・・・を示している。尚、図１０は図９を複写機により白紙20にコピーした場合の複写物を示している。
【０００５】
このような従来技術では、輪郭24は一辺部24Ａに沿って直線状に配置されており、その結果輪郭24とその外側に配置される平網と内側に配置されている網点との境界付近において、輪郭と万線又は網点のパターンが平行又はほぼ平行となる部分では印刷の疎と密が直線状にあらわれてしまい、潜像の存在を悟られやすくなる。
【０００６】
さらに、潜像印刷部を万線によって形成することが行われているが、潜像印刷部の輪郭が直線（又はほぼ直線）状になる部分において、潜像印刷部を形成している網点又は万線の繰り返しパターンが、該部分に沿って平行（又はほぼ平行）に配置されると、潜像印刷部と平網からなる非潜像印刷部との境界付近に疎密が直線状にあらわれ、これを避けるために、そのパターンを傾けて配置しても、疎密が周期的にギザギザ状にあらわれる。これは、潜像印刷部の輪郭に沿って所々が濃く又は薄く見える違和感を生じる原因となり、本来は視認しにくくあるべき潜像印刷部が悟られやすくなってしまう。
【０００７】
そこで、本考案は、複写防止文字や数字などにおいて潜像の存在が悟られにくい複写防止を有する印刷物を提供する。
【課題を解決するための手段】
【０００８】
請求項１の考案の複写防止模様を有する印刷物は、基紙表面に潜像印刷部と、この潜像印刷部の少なくとも周囲に複写機による再現性が無いか低減された非潜像印刷部を形成し、前記潜像印刷部の輪郭にはその輪郭の途中に、該輪郭方向に沿って凹凸を形成することを特徴とする。
【０００９】
請求項２の考案の複写防止模様を有する印刷物は、基紙表面に万線又は網点よりなる文字、数字又は図形を表示した潜像印刷部と、この潜像印刷部の少なくとも周囲に平網によりなり複写機による再現性が無いか低減された非潜像印刷部を形成し、前記文字、数字又は図形の縦向き、横向き又は斜め向きの前記潜像印刷部の輪郭の一辺部はその輪郭の途中に、該輪郭方向に沿って凹凸を形成することを特徴とする。
【００１０】
請求項３の考案の複写防止模様を有する印刷物は、基紙表面に万線又は網点よりなる文字、数字又は図形を表示した潜像印刷部と、この潜像印刷部の少なくとも周囲に平網によりなり複写機による再現性が無いか低減された非潜像印刷部を形成し、前記文字、数字又は図形の縦向き、横向き又は斜め向きの前記潜像印刷部の輪郭の一辺部はその輪郭方向に沿って凹凸を連続した波型に形成されることを特徴とする。
【００１１】
請求項４の考案の複写防止模様を有する印刷物は、前記凹凸は前記輪郭の内側に突設する凹部と、この凹部に隣接し前記輪郭の外側に突設する凸部を有することを特徴とする。
【００１２】
請求項５の考案の複写防止模様を有する印刷物は、前記凹部の底部の深さと前記凸部の頂部の高さの合計長さは、前記文字、数字又は図形の長辺の長さの１２％以下に形成されることを特徴とする。
【００１３】
請求項６の考案の複写防止模様を有する印刷物は、前記凹部と前記凸部の変位点間の距離は、前記文字、数字又は図形の長辺の長さの０．１５〜７．５％であることを特徴とする。
【考案の効果】
【００１４】
請求項１の考案によれば、輪郭において濃度差を小さくして潜像印刷部の視認性を低減することができる。
【００１５】
請求項２の考案によれば、潜像印刷部の輪郭が直線状となる部分において、潜像印刷部を形成している万線又は網点の繰り返しパターンと輪郭との疎密が直線状にあらわれる部分を細分化し、また周期的な例えばギザギザのある濃度差がある部分はこの周期性を排除し、これにより見た目の違和感、すなわち不自然に感ずる濃度差をなくすか、若しくは低減し、この結果として潜像印刷部の視認性を低減することができる。
【００１６】
請求項３の考案によれば、潜像印刷部の輪郭が直線状となる部分において、潜像印刷部を形成している万線又は網点の繰り返しパターンと輪郭との疎密が直線状にあらわれる部分を波型に細分化し、また周期的な例えばギザギザのある濃度差がある部分はこの周期性を排除し、これにより見た目の違和感、すなわち不自然に感ずる濃度差をなくすか、若しくは低減し、この結果として潜像印刷部の視認性を低減することができる。
【００１７】
請求項４の考案によれば、輪郭の境界において濃度差を確実に小さくすることができる。
【００１８】
請求項５の考案によれば、潜像印刷部に確実に潜像を形成でき、さらに輪郭は複写機でコピーしたときの潜像印刷部を明確に判別できる。
【００１９】
請求項６の考案によれば、潜像印刷部の境界における濃度差を低減せずに、また、潜像が視認しやすくなることもない。
【図面の簡単な説明】
【００２０】
【図１】本考案の第１実施例を示す平面図である。
【図２】同要部の断面図である。
【図３】同コピーした状態の平面図である。
【図４】本考案の第２実施例を示す平面図である。
【図５】同コピーした状態の平面図である。
【図６】本考案の第３実施例を示す説明図である。
【図７】本考案の第４実施例を示す説明図である。
【図８】本考案の第５実施例を示す説明図である。
【図９】従来例を示す平面図である。
【図１０】同コピーした状態の平面図である。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１〜３は実施例１を示しており、図１に示すように紙、プラスチックシート（フィルムを含む）製の基紙表面１に「複」の文字をあらわした第一の潜像印刷部２と、第一の潜像印刷部２に間隔をおいて「写」の文字をあらわした第二の潜像印刷部３を設けると共に、第一の潜像印刷部２、第二の潜像印刷部３以外には非潜像印刷部４を形成している。非潜像印刷部は、例えば５〜２０％程度の薄い濃度の平網からなり複写機による再現性が無いか低減された基紙表面１の全面に配置された無／低減再現性非潜像印刷部４と、複写機（図示せず）による再現性がある例えば「ＡＢＣ」とあらわされた基紙表面１の一部に配置された有再現性非潜像印刷部５が形成されている。
【００２３】
第一の潜像印刷部２は、上下方向に複数間隔をおいた万線６によって形成されている、そして、「複」の字は左側に配置される部首印刷部２Ａと、右側に配置されるつくり印刷部２Ｂとで構成されており、これらはそれぞれ隣接する万線６の端を結ぶ一点鎖線で示す仮想線によって部首をあらわす第一の輪郭７と、つくりをあらわす第二の輪郭８があらわれるようになっている。これら第一の輪郭７、第二の輪郭８は、多数配置されている平網の縁を結ぶ一点鎖線で示す仮想線によっても形成される。そして、この第一の輪郭７に万線６の端部が配置されるようになっている。尚、第二の輪郭８も同様である。
【００２４】
そして、これら第一の輪郭７、第二の輪郭８はその輪郭の縦向き、横向き或いは斜め向きのように同じ方向を有し、本来は一直線状或いはほぼ一直線状である輪郭７の一辺部９の途中で、輪郭７の一辺部９の方向に沿って凹部10と凸部11が形成されている。例えば、実施例では第一の輪郭７の第一角をなす縦向きの「│」の左側縁の上下縦向きの一辺部９においては、横向きの万線６が上下方向に間隔をおいて配置されて、これら万線６の前端６Ａは上側から下側にかけて一段ごとに後退したあとで、再び前進しており、このため万線６の前端６Ａを結ぶ直線状の仮想線である第一の輪郭７には前端６Ａが後退する部位に対応する凹部10と、凹部10より前方に突出する凸部11とが連続して接続されて、この凹部10と凸部11が繰り返されるように形成されている。尚、図中９Ａは「│」の上端縁にある左右横向きの２番目の一辺部、９Ｂは「│」の右側縁にある上下縦向きの３番目の一辺部を示している。
【００２５】
さらに、凹部10の底部の深さと凸部11の頂部の高さの合計長さＬは、第一の潜像印刷部２の長辺の長さ、文字や数字の場合にはフォントサイズ、すなわちフォントを描くベースとなる仮想矩正方形枠の一辺の長さＡの１２％以下に形成される（Ｌ≦０．１２Ａ）。尚、前記フォントは、「字形」を意味しており、この字形は、文字、数字などの図形表現としての形状の抽象的概念である「字体」を、印字、画面表示などによって実際に図形として表現したものをいう。
【００２６】
前記構成についてその作用を説明する。図１に示すように第一の輪郭７、第二の輪郭８における縦向き、横向き或いは斜め向きの一辺部９には、万線６の前端６Ａを揃えずに一部を後退させることで凹部10と一部を突設させる凸部11が繰り返されるように形成されているので、第一の輪郭７、第二の輪郭８が直線状のものに比較して、第一の潜像印刷部２と無／低減再現性非潜像印刷部４との境界における濃度差を低減して、潜像を視認しにくくすることができる。
【００２７】
そして、図３に示すように複写機によりコピーをとったときには、第一の潜像印刷部２、第二の潜像印刷部３、有再現性非潜像印刷部５が白紙20にあらわれてコピーされ、一方無／低減再現性非潜像印刷部４はあらわれないようになる。
【００２８】
以上のように、前記実施例では請求項１に対応して、基紙表面１に第一の潜像印刷部２及び第二の潜像印刷部３と、この潜像印刷部２，３の周囲の基紙表面１に複写機による再現性が無いか低減された無／低減再現性非潜像印刷部４を形成し、第一の潜像印刷部２及び第二の潜像印刷部３の第一の輪郭７、第二の輪郭８にはその輪郭の途中に、該輪郭方向に沿って凹部10、凸部11を形成することにより、無／低減再現性非潜像印刷部４と第一の輪郭７、第二の輪郭８との境界において濃度差を小さくして第一の潜像印刷部２及び第二の潜像印刷部３の視認性を低減することができる。
【００２９】
前記実施例では請求項２に対応して、基紙表面１に第一の万線６よりなる文字を表示した第一の潜像印刷部２及び第二の潜像印刷部３と、基紙表面１の潜像印刷部２，３の周囲に無／低減再現性非潜像印刷部４を形成し、第一の潜像印刷部２及び第二の潜像印刷部３の縦向き、横向き又は斜め向きの第一の潜像印刷部２及び第二の潜像印刷部３の第一の輪郭７、第二の輪郭８の一辺はその輪郭の途中に、輪郭方向に沿って凹部10、凸部11を形成することにより、一辺部９において、無／低減再現性非潜像印刷部４と第一の輪郭７、第二の輪郭８との境界での濃度差を小さくして第一の潜像印刷部２及び第二の潜像印刷部３の視認性を低減することができる。
【００３０】
また、実施例では請求項３に対応して、一辺部９はその輪郭方向に沿って凹部10、凸部11を連続した波型に形成されることで、いっそう潜像印刷部２，３の視認性を低減することができる。
【００３１】
前記実施例では請求項４に対応して、第一の輪郭７、第二の輪郭８は輪郭の内側に突設する凹部10と、この凹部10に隣接し輪郭の外側に突設する凸部11を有することで、凹部10と凸部11とが連続して、第一の輪郭７、第二の輪郭８との境界において連続して濃度差を小さくすることができる。
【００３２】
前記実施例では請求項５に対応して、凹部10の底部の深さと凸部11の頂部の高さの合計長さＬは、文字のフォント（字形）の一辺の長さＡの１２％以下に形成されることで、第一の潜像印刷部２、第二の潜像印刷部３を確実に潜像に形成でき、さらに第一の輪郭７、第二の輪郭８は複写機でコピーしたときの第一の潜像印刷部２、第二の潜像印刷部３を明確に判別できる。尚、合計長さＬが前記範囲よりも大きく形成されて例えば輪郭の変動が大きくなるとコピーしたときに潜像印刷部を判別できない。また合計長さＬが前記範囲よりも小さく形成されて例えば輪郭の変動が小さくなると輪郭の凹部、凸部が小さいために、潜像印刷部と非潜像印刷部との境界における濃度差を低減できず、潜像が視認しやすくなる。
【実施例２】
【００３３】
以下に、他の実施例について説明する。尚、前記実施例１と同一部分には同一符号を付し、その詳細な説明を省略する。
【００３４】
図４，５に示す実施例２においては、基紙表面１に形成される第一の潜像印刷部２’、第二の潜像印刷部３’はそれぞれ網点12によって形成されており、基紙表面１の第一の潜像印刷部２’、第二の潜像印刷部３’の周囲には無／低減再現性非潜像印刷部４、有再現性非潜像印刷部５が形成されている。
【００３５】
そして、「複」の文字をあらわした第一の潜像印刷部２’は、上下左右方向に複数間隔をおいた網点12によって形成されている。外縁に配置された網点12を結ぶ仮想線によって部首をあらわす第一の輪郭７’と、つくりをあらわす第二の輪郭８’があらわれるようになっている。これら第一の輪郭７’、第二の輪郭８’はその輪郭の縦向き、横向き或いは斜め向きをなす一辺部９’の途中で、この一辺部９’の輪郭の方向に沿って凹部10’と凸部11’が形成されている。
【００３６】
それぞれ凹部10’と凸部11’の間の距離Ｐは、文字の長辺の長さ、実施例ではフォントにおける一辺の長さＡの０．１５〜７．５％に形成されている（０．００１５Ａ＜Ｐ＜０．０７５Ａ）。
【００３７】
したがって、実施例２においても、図４に示すように第一の輪郭７’、第二の輪郭８’における縦向き、横向き或いは斜め向きの一辺部９’には、網点12の配置により一部を後退させることで凹部10’と凸部11’が繰り返されるように形成されているので、第一の輪郭７’、第二の輪郭８’が直線状のものに比較して、第一の潜像印刷部２’と無／低減再現性非潜像印刷部４との境界における濃度差を低減して、潜像を視認しにくくすることができる。
【００３８】
そして、図５に示すようにコピーをとったときには、第一の潜像印刷部２’、第二の潜像印刷部３’、 有再現性非潜像印刷部５が白紙20にあらわれてコピーされ、一方無／低減再現性非潜像印刷部４はあらわれないようになる。
【００３９】
以上のように、実施例２においては実施例１と同様な効果を奏すると共に、さらに請求項６に対応して、凹部10’と凸部11’の間の距離Ｐは、フォントにおける一辺の長さＡの０．１５〜７．５％とすることで、輪郭の凹部10’、凸部11’が小さいために、第一の潜像印刷部２’、第二の潜像印刷部３’と無／低減再現性非潜像印刷部４との境界における濃度差を低減せずに、また、潜像が視認しやすくなることもない。尚、距離Ｐが前記範囲よりも大きく形成されて例えば輪郭の変動が大きくなるとコピーしたときに潜像印刷部を判別できない。また距離Ｐが前記範囲よりも小さく形成されて例えば輪郭の変動が小さくなると潜像印刷部と非潜像印刷部との境界における濃度差を低減できず、潜像が視認しやすくなる。
【実施例３】
【００４０】
図６に示す実施例３においては、潜像印刷部の輪郭が二点鎖線で示すように直線状になる場合に対して、輪郭７’のように折り曲げ後、凹部10’、凸部11’を新たに形成するように、潜像印刷部（図示せず）を形成するものである。
【実施例４】
【００４１】
図７に示す実施例４においては、潜像印刷部（図示せず）の二点鎖線で示すように輪郭が曲線状の場合、変位点13を輪郭７’のように新たな変位点13’に移動させて凹部10’、凸部11’を形成して新たな直線状の輪郭を形成するように、潜像印刷部を形成するものである。
【実施例５】
【００４２】
図８に示す実施例５においては、潜像印刷部（図示せず）の二点鎖線で示す輪郭が曲線状の場合、輪郭の変位点13を新たな変位点13’に移動させて凹部10’、凸部11’を形成して一点鎖線で示す新たな曲線状の輪郭７’を形成するように、潜像印刷部を形成するものである。
【産業上の利用可能性】
【００４３】
以上のように本考案にかかる複写防止を有する印刷物は、各種の用途に適用できる。例えば、実施例１において万線を水平ではなく斜め向きに配置するようにしてもよい。
【符号の説明】
【００４４】
１  基紙表面
２  第一の潜像印刷部
３  第二の潜像印刷部
４  無／低減再現性非潜像印刷部
６  万線
７  第一の輪郭
８  第二の輪郭
９  ９Ａ  ９Ｂ  一辺部
10  凹部
11  凸部
12  網点
Ａ  フォントの一辺の長さ
Ｐ  距離
【図１】
0003166053.tif 000003
【図２】
0003166053.tif 000004
【図３】
0003166053.tif 000005
【図４】
0003166053.tif 000006
【図５】
0003166053.tif 000007
【図６】
0003166053.tif 000008
【図７】
0003166053.tif 000009
【図８】
0003166053.tif 000010
【図９】
0003166053.tif 000011
【図１０】
0003166053.tif 000012